(57)【要約】      （修正有）【課題】高い着脱容易性を有すると共に、快適な着用感及び防寒性を両立する靴下を提供する。【解決手段】靴下は、着用者の足指を一本又は複数本ごとに収容する内側足指部１１を複数備える丸編みによる内側靴下１０と、当該内側足指部１１を一又は複数ごとに収容する外側足指部２１を一又は複数備える丸編みによる外側靴下２０とから構成される靴下であって、内側足指部１１の各先端を、外側靴下２０に縫合して形成される足指縫合部を備える。【選択図】図１
0003205982.tif 000002
【実用新案登録請求の範囲】
【請求項１】
着用者の足指を一本又は複数本ごとに収容する内側足指部を複数備える丸編みによる内側靴下と、当該内側足指部を一又は複数ごとに収容する外側足指部を一又は複数備える丸編みによる外側靴下とから構成される靴下であって、
前記内側足指部の各先端を、前記外側靴下に縫合して形成される足指縫合部を備えることを特徴とする
靴下。
【請求項２】
請求項１に記載の靴下において、
前記内側靴下の踵部を、前記外側靴下に縫合して形成される踵縫合部を備えることを特徴とする
靴下。
【請求項３】
請求項１又は請求項２に記載の靴下において、
前記踵縫合部が、踵成形線の両端近傍に形成されることを特徴とする
靴下。
【請求項４】
請求項１〜３のいずれかに記載の靴下において、
前記踵縫合部が、着用者の内側の踝、外側の踝、及び踵の少なくとも３箇所に形成されることを特徴とする
靴下。
【請求項５】
請求項１〜４のいずれかに記載の靴下において、
前記内側足指部を５つ備えることを特徴とする
靴下。
【請求項６】
請求項５に記載の靴下において、
前記外側足指部を１つ備えることを特徴とする
靴下。
【請求項７】
請求項５に記載の靴下において、
前記外側足指部を５つ備えることを特徴とする
靴下。
【請求項８】
請求項１に記載の靴下において、
前記内側靴下が、内側足指部のみから形成されることを特徴とする
靴下。
【考案の詳細な説明】
【技術分野】
【０００１】
本考案は、靴下に関し、特に、高い着脱容易性を有すると共に、快適な着用感及び防寒性も両立できる靴下に関する。
【背景技術】
【０００２】
近年、靴下は、着用者のニーズを反映して、着用感に優れたものが積極的に開発されており、特に、足指を一本ずつ独立して収納するように仕切った足先部を有する所謂５本指靴下はその典型例である。
【０００３】
このような従来の靴下としては、例えば、横編機により無縫製で筒状に編成された指袋を有する靴下であって、指袋の少なくとも親指を挿入する第一指指袋または人差指を挿入する第二指指袋は、指の長さ方向への伸縮率が大きい編組織で編成された部分を有し、指の長さ方向への伸縮率が大きい編組織の部分がガーター編、または、リンクス編で形成され、指袋の指股部近くにおいて、帯状に全周に亘って形成されるものがある（特許文献１参照）。
【０００４】
また、従来の靴下としては、例えば、横編みによって、袋状をした指先部が靴下の内部に一体的に編み込まれて形成されるものがある。例えば、靴下本体部の先端の袋状をした本体爪先部の内側に、同じく袋状をした内側爪先部を編み込んで、靴下本体部の先端の爪先部のみを二重構造にして、該内側爪先部のみに、先端の閉塞部から開口側に向けて人体の足の指部の長さに対応した長さだけ編み込んで形成された指挿入部を有するものが開示されている（特許文献２参照）。
【０００５】
また、この他の従来の靴下としては、例えば、内側に５本指を収納する指挿入部と、この指挿入部とは別体に、この指挿入部を外部から覆う被覆部を備えて形成されたものがある。例えば、足の五本の指がそれぞれ挿入される五つの指挿入部と、これらの指挿入部を相互に連結し、前記足先が挿入される足先挿入口を有する筒状の連結部とからなる足先収納袋と、前記足が挿入される足挿入口を有し、少なくとも前記足の裏、両側部、および、足先の甲を覆う足収納袋とを備え、前記足先収納袋が、前記足収納袋の足先を覆う部分に内挿されているとともに、前記足先収納袋の前記足先挿入口の上縁部が、前記足収納袋の前記足挿入口の上縁部に接続される足カバーが開示されている（特許文献３参照）。
【先行技術文献】
【特許文献】
【０００６】
【特許文献１】特開２００８−６３６９９号公報
【特許文献２】特開平９−３１６７０６号公報
【特許文献３】登録実用新案３１９２３４８号公報
【考案の概要】
【考案が解決しようとする課題】
【０００７】
従来では、上記特許文献１〜３に示されるような５本指靴下のように、主に 足指を適度に固定することによってホールド感を向上させることが意図されているものの、この高いホールド感のために、脱ぐ際には足の指を一本ごとに靴下から外していく必要があり、結果として脱ぎ難いという問題がある。
【０００８】
また、従来では、例えば、上記特許文献３のような足カバーもあるが、一旦、内側の足先収納袋に足指先を挿入して固定した後に、さらに外側の足収納袋で足全体を周回して覆い込むという二段階の着用段階が必要であることから、着脱の都度にさらに手間が掛かり、通常の靴下に比べて取り扱いが煩雑であるという課題がある。
【０００９】
本考案は前記課題を解決するためになされたものであり、特に、高い着脱容易性を有すると共に、快適な着用感及び防寒性を両立する靴下の提供を目的とする。
【課題を解決するための手段】
【００１０】
本願に開示する靴下は、着用者の足指を一本又は複数本ごとに収容する内側足指部を複数備える丸編みによる内側靴下と、当該内側足指部を一又は複数ごとに収容する外側足指部を一又は複数備える丸編みによる外側靴下とから構成される靴下であって、前記内側足指部の各先端を、前記外側靴下に縫合して形成される足指縫合部を備えるものである。
【００１１】
このように、前記内側足指部の各先端を、前記外側靴下に縫合して形成される足指縫合部を備えることから、内側靴下と外側靴下により構成される二重構造の靴下であると共に、当該二重構造の靴下が足指縫合部によってその先端部分を強固に固定されることで、着用者が脱ぐ際に足指を一本ずつ外す必要が無く簡易に脱ぐことが可能となり、高い保温性を確保できると共に、高い着脱性を実現することができる。
【００１２】
本願に開示する靴下は、必要に応じて、前記内側靴下の踵部を、前記外側靴下に縫合して形成される踵縫合部を備えるものである。このように、前記内側靴下の踵部を、前記外側靴下に縫合して形成される踵縫合部を備えることから、内側靴下と外側靴下により構成される二重構造の靴下であると共に、当該二重構造の靴下が足指縫合部及び踵縫合部の双方によって強固に固定されることで、着用者が脱ぐ際に足指を一本ずつ外す必要が無く簡易に脱ぐことが可能となり、高い保温性を確保できると共に、高い着脱性を実現することができる。
【００１３】
本願に開示する靴下は、必要に応じて、前記踵縫合部が、踵成形線の両端近傍に形成されるものである。このように、前記踵縫合部が、踵成形線の両端近傍に形成されることから、着用者の足から高い負荷が掛けられる踵成形線で強固に固定されることとなり、内側靴下と外側靴下との固定が安定化されると共に、高い着脱性を実現することができる。
【００１４】
本願に開示する靴下は、必要に応じて、前記踵縫合部が、着用者の内側の踝、外側の踝、及び踵の少なくとも３箇所に形成されるものである。このように、前記踵縫合部が、着用者の内側の踝、外側の踝、及び踵の少なくとも３箇所に形成されることから、着用者の足から高い負荷が掛けられる踵成形線の近傍で強固に固定されることとなり、内側靴下と外側靴下との固定が安定化されると共に、高い着脱性を実現することができる。
【００１５】
本願に開示する靴下は、必要に応じて、前記内側足指部を５つ備えるものである。このように、前記内側足指部を５つ備えることから、着用時には、内側靴下により着用者の５本の足指が強固に固定されると共に、脱ぐ際には、外側靴下により着用者の５本の足指を一本ずつ外すことなく一気に脱ぐことが可能となり、内側靴下による快適な着心地と共に、外側靴下による簡易な着脱性を実現することができる。
【００１６】
本願に開示する靴下は、必要に応じて、前記外側足指部を１つ備えるものである。このように、前記外側足指部を１つ備えることから、内側靴下により着用者の足指が
強固に固定されると共に、外観については、外側靴下により通常の靴下と同じ外観を呈することとなり、外観を損なうことなく、快適な着心地を実現することができる。
【００１７】
本願に開示する靴下は、必要に応じて、前記外側足指部を５つ備えるものである。
このように、前記外側足指部を５つ備えることから、内側靴下及び外側靴下により着用者の足指が強固に固定されると共に、内側靴下及び外側靴下による二重構造によって高い保温性が維持され、快適な着心地を実現することができる。特に、就寝時に履く用途の靴下のニーズに対しても、高い保温性によって、より快適な寝心地を実現することが可能となる。
【００１８】
本願に開示する靴下は、必要に応じて、前記内側靴下が、内側足指部のみから形成されるものである。このように、前記内側靴下が、内側足指部のみから形成されることから、より簡素な構成で形成されることととなり、低コストでより快適な着用感が得られる。
【図面の簡単な説明】
【００１９】
【図１】本考案の第１の実施形態に係る靴下の構成を表す斜視図を示す。
【図２】本考案の第１の実施形態に係る靴下の構成を表す斜視図及び上面からの断面図を示す。
【図３】本考案の第２の実施形態に係る靴下の構成を表す斜視図及び上面からの断面図を示す。
【図４】本考案の第３の実施形態に係る靴下の構成を表す斜視図を示す。
【図５】本考案の第３の実施形態に係る靴下の構成を表す斜視図及び上面からの断面図を示す。
【図６】本考案の第４の実施形態に係る靴下の構成を表す斜視図を示す。
【考案を実施するための形態】
【００２０】
（第１の実施形態）
以下、第１の実施形態に係る靴下を図１及び図２に基づいて説明する。
【００２１】
第１の実施形態に係る靴下１は、図１に示すように、着用者の足指を一本ごとに収容する内側足指部１１を複数（即ち、５つ）備える丸編みによる内側靴下１０と、この内側足指部１１を一つに収容する外側足指部２１を一つ備える丸編みによる外側靴下２０とから構成される二重構造の靴下である。
【００２２】
さらに、この靴下１は、図２に示すように、この内側足指部１１の各先端を、この外側靴下２０に縫合して形成される足指縫合部１１ａと、内側靴下１０の踵部１２を、この外側靴下２０に縫合して形成される踵縫合部１２ａと、を備える構成である。
【００２３】
また、足指縫合部１１ａ及び踵縫合部１２ａによる縫合は、機械による縫合であってもよいし、人手による縫合であってもよい。
【００２４】
また、この踵縫合部１２ａは、内側靴下１０の踵部１２に形成されれば特に限定されないが、図２（ａ）に示すように、踵成形線Ａの両端近傍に形成されることが好ましい。このように、この踵縫合部１２ａが、踵成形線Ａの両端近傍に形成される場合には、内側靴下１０と外側靴下２０とが、着用者の足から高い負荷が掛けられる踵成形線で強固に固定されることとなり、内側靴下と外側靴下との固定が安定化されると共に、高い着脱性を実現することができる。尚、踵成形線Ａとは、丸編み機による編みの際に踵部に形成される直線状の成形線である。
【００２５】
また、この踵縫合部１２ａは、内側靴下１０の踵部１２に形成されれば、その形成位置は限定されないが、図２（ｂ）に示すように、着用者の内側の踝、外側の踝、及び踵の少なくとも３箇所に形成されることが好ましい。このように、この踵縫合部１２ａが、着用者の内側の踝、外側の踝、及び踵の少なくとも３箇所に形成されることから、着用者の足から高い負荷が掛けられる踵成形線Ａの近傍で強固に固定されることとなり、内側靴下と外側靴下との固定が安定化されると共に、高い着脱性を実現することができる。
【００２６】
また、本実施形態では、内側足指部１１を５つ備えることから、着用時には、内側靴下１０により着用者の５本の足指が強固に固定されると共に、脱ぐ際には、外側靴下２０により着用者の５本の足指を一本ずつ外すことなく一気に脱ぐことが可能となり、内側靴下１０による快適な着心地と共に、外側靴下２０による簡易な着脱性を両立して実現することができる。また、本実施形態では、丸編みにより構成される二重靴下であることから、従来の横編みによる靴下（例えば、上述の特許文献１及び２等）と比べて、格段の着用感と円滑な着脱を実現することが可能となる。
【００２７】
また、本実施形態では、外側足指部を１つ備えることから、内側靴下１０により着用者の足指が強固に固定されると共に、外観については、外側靴下２０により通常の靴下と同じ外観を呈することとなり、外観を損なうことなく、快適な着心地を実現することができる。
【００２８】
このような構成を有する内側靴下１０と外側靴下２０により構成される二重構造の靴下により、この二重構造の靴下１が足指縫合部１１ａ及び踵縫合部１２ａによって強固に固定されることで、着用者が脱ぐ際に足指を一本ずつ外す必要が無く簡易に脱ぐことが可能となり、この二重構造による高い保温性を確保できると共に、高い着脱性を実現することができる。
【００２９】
また、就寝時に履く用途の靴下のニーズに対しても、この二重構造による高い保温性によって、より快適な寝心地を実現することが可能となり、また高い着脱性が実現されることによって、時間に追われがちな起床時及び就寝前にも短時間で着脱することができ、時間的にもよりストレスの少ない着脱を行うことができ、より高い快適性が得られる。
【００３０】
（第２の実施形態）
以下、第２の実施形態に係る靴下を図３に基づいて説明する。
【００３１】
第２の実施形態に係る靴下１は、第１の実施形態と同様に、内側靴下１０と、内側足指部１１と、足指縫合部１１ａと、踵部１２と、踵縫合部１２ａと、外側靴下２０と、外側足指部２１と、を備え、さらに、この内側靴下１０が、着用者の足指を複数ごとに収容する内側足指部１１を複数備える構成である。
【００３２】
この内側靴下１０は、特に限定されないが、例えば、図３に示すように、着用者の足指を２本及び３本ごとに収容する内側足指部１１を２つ備える構成とすることができる。
【００３３】
このように、本実施形態では、この内側靴下１０が、着用者の足指を複数ごとに収容する内側足指部１１を複数備えることから、内側靴下１０により着用者の足指が程よく固定されると共に、外観については、外側靴下２０により通常の靴下と同じ外観を呈することとなり、外観を損なうことなく、足指に対する穏やかな締め付け感による快適な着心地を実現することができる。
【００３４】
（第３の実施形態）
以下、第３の実施形態に係る靴下を図４及び図５に基づいて説明する。
【００３５】
第２の実施形態に係る靴下１は、第１の実施形態と同様に、内側靴下１０と、内側足指部１１と、足指縫合部１１ａと、踵部１２と、踵縫合部１２ａと、外側靴下２０と、外側足指部２１と、を備え、さらに、図３に示すように、この内側足指部１１を1つずつ収容する外側足指部２１を複数（即ち、５つ）備える外側靴下２０とから構成される二重構造の靴下である。
【００３６】
このように、本実施形態では、前記外側足指部を５つ備えることから、内側靴下１０及び外側靴下２０により着用者の足指が強固に固定されると共に、内側靴下１０及び外側靴下２０による二重構造によって高い保温性が維持され、快適な着心地を実現することができる。特に、就寝時に履く用途の靴下のニーズに対しても、高い保温性によって、より快適な寝心地を実現することが可能となる。
【００３７】
（第４の実施形態）
以下、第４の実施形態に係る靴下を図６に基づいて説明する。
【００３８】
第４の実施形態に係る靴下１は、踵縫合部１２ａを必要としない構成であり、第１の実施形態と同様に、内側靴下１０と、内側足指部１１と、足指縫合部１１ａと、踵部１２と、外側靴下２０と、外側足指部２１と、を備え、さらに、図６に示すように、内側靴下１０が、内側足指部１１のみから形成されるものである。このように、前記内側靴下が、内側足指部１１のみから形成されることから、より簡素な構成で形成されることととなり、より快適な着用感及び高い着脱性を実現することが可能となる。
【符号の説明】
【００３９】
１  靴下
１０  内側靴下
１１  内側足指部
１１ａ  足指縫合部
１２  踵部
１２ａ  踵縫合部
２０  外側靴下
２１  外側足指部
【図１】
0003205982.tif 000003
【図２】
0003205982.tif 000004
【図３】
0003205982.tif 000005
【図４】
0003205982.tif 000006
【図５】
0003205982.tif 000007
【図６】
0003205982.tif 000008